(57)【要約】【課題】  商品を下置きすることも、掛け置きすることも可能な自立型包装箱を提供する。【解決手段】  左側面を形成する左側面板１４と右側面を形成する右側面板１５とを三角柱の２つの底面と見立て、正面を形成する正面板１１の下部と背面を形成する背面板１２の下部と下面を形成する下面板とを三角柱の３つの側面と見立てた略三角柱を、下面板１３が下になるように横倒しにした形状を呈する商品収納部と、正面を形成する正面板１１の上部と背面を形成する背面板１２の上部とが合掌状に重ねられている包装箱掛け置き部とから構成される。【選択図】        図１
2006219189.tif 000002
【特許請求の範囲】
【請求項１】
略正方形の正面板と、
略正方形の背面板と、
略長方形の下面板と、
２つの略二等辺三角形の側面板とを具備する自立型包装箱であって、
前記側面板を底面とし、前記正面板の下部と前記背面板の下部と前記下面板とを側面とする三角柱からなる商品収納部と、
前記正面板の上部と前記背面板の上部とからなり、掛け置き用孔を有する包装箱掛け置き部とを備えることを特徴とする自立型包装箱。
【請求項２】
前記商品収納部を構成する前記正面板の下部に、展示用窓を有することを特徴とする請求項１に記載の自立型包装箱。
【請求項３】
２つの側面板には各々折り込み片が連接され、前記下面板には２つの差し込み片が連接されており、前記正面板と前記下面板と前記折り込み片との三面で形成される空間に前記差し込み片を差し込むことを特徴とする請求項１または請求項２に記載の自立型包装箱。
【請求項４】
前記正面板と前記背面板と前記下面板と２つの前記側面板と２つの前記折り込み片と２つの前記差し込み片とは、１枚の連続したシート状材料からなることを特徴とする請求項３に記載の自立型包装箱。
【請求項５】
前記商品収納部に地震対策用品を収納することを特徴とする請求項１乃至４に記載の自立型包装箱。
【発明の詳細な説明】
【技術分野】
【０００１】  この発明は、事務用クリップ等のオフィス用品や、コンピュータ用ＵＳＢケーブル等のパソコン用品、または、耐震ストッパー（地震による家電、家具やＯＡ機器の転倒防止具）等の地震対策用品等の商品を収納して販売店の店頭に展示するための自立型包装箱に関するものである。
【背景技術】
【０００２】  従来、事務用クリップ等のオフィス用品は、例えばプラスチック製の小箱やビニール製の小袋に収納して展示棚に下置きされて販売されていた。また、コンピュータ用ＵＳＢケーブル等のパソコン用品は、いわゆるブリスターバックと呼ばれる、商品の形にあわせて膨らましたプラスチックシートと台紙とを合わせてパッケージする包装に収納して展示棚の掛け置き金具に掛け置かれて販売されていた。【０００３】  また、商品の種類によっては、同種類の商品が集められた展示棚に展示されるとともに、その商品が使用される他の商品とともに展示することで販売促進効果を奏したい商品がある。【０００４】  例えば耐震ストッパー等の地震対策用品は、防災用品売り場に掛け置き展示するとともに、家電用品売り場でその耐震ストッパーが使用される冷蔵庫やテレビ等の上に展示販売することにより、大きな販売促進効果を得ることができる。【０００５】  しかしながら、従来のプラスチック製の小箱やビニール製の小袋では、冷蔵庫やテレビ等の上に展示しても見栄えが良くないため販売促進効果が得られない。また、ブリスターバックでは、掛け置き金具に掛け置かれて販売されることを前提としているため冷蔵庫やテレビ等の上に展示しても商品の内容がわかりづらくなる課題があった。
【発明の開示】
【発明が解決しようとする課題】
【０００６】  この発明は、上述した課題を解決し、商品を下置きすることも、掛け置きすることも可能な自立型包装箱を提供することを目的とする。【０００７】  また、この発明は、商品を下置きしても、掛け置きしても、販売促進効果を得ることが可能な自立型包装箱を提供することを目的とする。
【課題を解決するための手段】
【０００８】  上述の課題を解決し、目的を達成するために、この発明の自立型包装箱は、請求項１の記載によると、略正方形の正面板と、略正方形の背面板と、略長方形の下面板と、２つの略二等辺三角形の側面板とを具備する自立型包装箱であって、前記側面板を底面とし、前記正面板の下部と前記背面板の下部と前記下面板とを側面とする三角柱からなる商品収納部と、前記正面板の上部と前記背面板の上部とからなり、掛け置き用孔を有する包装箱掛け置き部とを備えることを特徴とする。【０００９】  また、この発明の自立型包装箱は、請求項２の記載によると、前記商品収納部を構成する前記正面板の下部に、展示用窓を有することを特徴とする。【００１０】  また、この発明の自立型包装箱は、請求項３の記載によると、２つの側面板には各々折り込み片が連接され、前記下面板には２つの差し込み片が連接されており、前記正面板と前記下面板と前記折り込み片との三面で形成される空間に前記差し込み片を差し込むことを特徴とする。【００１１】  また、この発明の自立型包装箱は、請求項４の記載によると、前記正面板と前記背面板と前記下面板と２つの前記側面板と２つの前記折り込み片と２つの前記差し込み片とは、１枚の連続したシート状材料からなることを特徴とする。【００１２】  また、この発明の自立型包装箱は、請求項５の記載によると、前記商品収納部に地震対策用品を収納することを特徴とする。
【発明の効果】
【００１３】  この発明により、掛け置き用孔を用いて展示棚の掛け置き金具に掛け置き展示することが可能であるとともに、下面板を床面に載置して自立して立てることによる下置き展示も可能である自立型包装箱を提供することができた。【００１４】  また、この発明により、商品の使用イメージ図や効果を示す写真を綺麗に表示することが可能であり、ＰＯＰ広告の効果も得ることができるとともに、展示用窓から見える収納された商品との相乗効果も期待できる自立型包装箱を提供することができた。
【発明を実施するための最良の形態】
【００１５】  この発明の実施の具体的形態例を、図１乃至図８を用いて以下に説明する。【００１６】  図１は、この発明における自立型包装箱１０の斜視図である。また、図２乃至図７は、この発明における自立型包装箱１０の６面図であり、図２は正面図、図３は上面図、図４は下面図、図５は背面図、図６は左側面図、図７は右側面図である。また、図７は、この発明における自立型包装箱１０の展開図である。【００１７】  この発明における自立型包装箱１０は、正面板１１と、背面板１２と、底面板１３と、左側面板１４と、右側面板１５と、展示用窓１６と、掛け置き用孔１７と、２つの差し込み片１８と、２つの折り込み片１９、２０とから概略構成されている。【００１８】  この自立型包装箱１０は、例えば紙やポリフィルムを表面に接着した包装用紙等の１枚の連続したシート状材料を用いて形成された包装箱であり、側面視において略二等辺三角形と当該二等辺三角形の頂点から二等辺の二辺が延長された形状を呈しており、正面視および背面視において略正方形を呈している。より具体的には、左側面を形成する左側面板１４と右側面を形成する右側面板１５とを三角柱の２つの底面と見立て、正面を形成する正面板１１の下部（図１において展示用窓１６が形成された略下半分）と、背面を形成する背面板１２の下部（背面板１２の、正面板１１の下部に対応する略下半分）と、下面を形成する下面板１３とを三角柱の３つの側面と見立てた略三角柱を、下面板１３が下になるように横倒しにした形状を呈する商品収納部と、正面を形成する正面板１１の上部（図１において掛け置き用孔１７が形成された略上半分）と、背面を形成する背面板１２の上部（背面板１２の、正面板１１の上部と重なる略上半分）とが合掌状に重ねられている包装箱掛け置き部とから構成されている。【００１９】  また、この自立型包装箱１０は、下面板１３には正面板１１と背面板１２と２つの差し込み片１８とが連接され、下面板１３に連接された正面板１１には左側面板１４と右側面板１５とがさらに連接されている。また、正面板１１に連接された左側面板１４には折り込み片１９が連接され、正面板１１に連接された右側面板１５には折り込み片２０が連接されている。なお、折り込み片１９および折り込み片２０と、正面板１１との間は切り込みが入れられており、正面板１１と折り込み片１９および正面板１１と折り込み片２０は連接されていない。【００２０】  また正面板１１には、下面板１３と連接される辺側に、収納された商品を見せるための展示用窓１６が設けられている。この展示用窓１６は例えばセロファン等の透明フィルムが取り付けられている。さらに、正面板１１には、この自立型包装箱を展示棚の掛け置き金具に掛け置きするための掛け置き用孔１７ａが設けられている。【００２１】  また背面板１２には、この自立型包装箱１０を組み立てた際に正面板１１に設けられた掛け置き用孔１７ａと位置が合うように、掛け置き用孔１７ｂが設けられており、この掛け置き用孔１７ａと掛け置き用孔１７ｂとで自立型包装箱１０の掛け置き用孔１７を構成している。【００２２】  次に、この自立型包装箱１０の組み立て手順について図８を参照しながら説明する。なお、図８の紙面表��が、自立型包装箱１０を組み立てた際に自立型包装箱１０の表側（すなわち商品説明の写真や使用方法が印刷された側）となると仮定して説明を行う。【００２３】  最初に、左側面板１４と折り込み片１９とを山折りするとともに、右側面板１５と折り込み片２０とを山折りする。次に正面板１１と左側面板１４とを山折りするとともに正面板１１と右側面板１５とを山折りし、２つの折り込み片１９、２０が正面板１１の背面位置（すなわち自立型包装箱１０の裏側）にくるように折り込む。【００２４】  次に下面板１３と２つの差し込み片１８とを山折りし、この２つの差し込み片１８を山折りした状態のまま下面板１３と正面板１１を山折りして、一方の差し込み片１８を正面板１１と左側面板１４と折り込み片１９とで三面を形成する空間に差し込むとともに、もう一方の差し込み片１８を正面板１１と右側面板１５と折り込み片２０とで三面を形成する空間に差し込む。このように、差し込み片１８を、正面板１１と側面板（左側面板１４または右側面板１５）と折り込み片１９とで形成される空間に差し込むことにより、側面板が外部からの力で商品収納部側に落ち込む（側面板が凹む）ことを防止することが可能である。【００２５】  最後に下面板１３と背面板１２を山折りし、折り込み片１９、２０の上に重ね合わせる。この結果、図１に示す自立型包装箱１０の形状が完成する。なお、自立型包装箱１０が開いてしまわないように、例えば正面板１１と背面板１２とを、その上部（図１において掛け置き用孔１７が形成された略上半分）で、掛け置き用孔１７がふさがらない位置に、両面テープやステップルにより固定するとともに、左側面板１４と背面板１２とを、および、右側面板１５と背面板１２とを各々粘着テープで固定する。【００２６】  完成した自立型包装箱１０は、正面から見ると、収納された商品を見せるための展示用窓１６と展示棚の掛け置き金具に掛け置きするための掛け置き用孔１７とが、図２のように観察することができる。なお、正面板１１上で、側面板１４の二等辺三角形の頂点と側面板１５の二等辺三角形の頂点とを結ぶ線上に折り目はつかない。これは、正面板１１が、側面板１４および側面板１５の二等辺三角形の二等辺のうちの一辺から、背面板１２に重なる略上半分へと滑らかに湾曲しているためである。【００２７】  また、完成した自立型包装箱１０は、上面から見ると、正面板１１および正面板１１を構成するシート状材料（紙等）の厚み方向の面と、背面板１２および背面板１２を構成するシート状材料（紙等）の厚み方向の面と、収納された商品を見せるための展示用窓１６とが、図３のように観察することができる。【００２８】  さらに、完成した自立型包装箱１０は、下面から見ると、下面板１３と、側面板１４を構成するシート状材料（紙等）の厚み方向の面と、側面板１５を構成するシート状材料（紙等）の厚み方向の面とが、図４のように観察することができる。【００２９】  さらにまた、完成した自立型包装箱１０は、背面から見ると、展示棚の掛け置き金具に掛け置きするための掛け置き用孔１７が、図５のように観察することができる。なお、背面板１２上で、側面板１４の二等辺三角形の頂点と側面板１５の二等辺三角形の頂点とを結ぶ線上に折り目はつかない。これは、背面板１２が、側面板１４および側面板１５の二等辺三角形の二等辺のうちの一辺から、正面板１１に重なる略上半分へと滑らかに湾曲しているためである。【００３０】  またさらに、完成した自立型包装箱１０は、左側面から見ると、左側面板１４と、正面板１１を構成するシート状材料（紙等）の厚み方向の面と、背面板１２を構成するシート状材料（紙等）の厚み方向の面とが、図６のように観察することができる。また、右側面から見ると、右側面板１５と、正面板１１を構成するシート状材料（紙等）の厚み方向の面と、背面板１２を構成するシート状材料（紙等）の厚み方向の面とが、図７のように観察することができる。【００３１】  上記のような構成を持つ、この発明の自立型包装箱１０は、掛け置き用孔１７を用いて展示棚の掛け置き金具に掛け置き展示することが可能であるとともに、下面板１４を床面に載置して自立して立てることによる下置き展示も可能である。【００３２】  例えば、この発明の自立型包装箱１０の商品収納部に耐震ストッパー等の地震対策用品を収納して展示する場合には、防災用品売り場に防災用品の関連商品として掛け置き展示するとともに、家電用品売り場でその耐震ストッパーが使用される冷蔵庫やテレビ等の上に下置き展示することにより、大きな販売促進効果を得ることができる。【００３３】  また、この発明の自立型包装箱１０は、正面板１１上および背面板１２上の、側面板１４の二等辺三角形の頂点と側面板１５の二等辺三角形の頂点とを結ぶ線上で折り目がつかないので、商品の使用イメージ図や効果を示す写真を綺麗に表示することが可能であり、ＰＯＰ広告の効果も得ることができる。また、展示用窓１６から見える収納された商品との相乗効果も期待することができる。【００３４】  さらに、この発明の自立型包装箱１０は、下面板１３を台上に載置することにより自立して立て置くことが可能であることから、商品梱包時の作業性の向上が可能である。即ち、自立型包装箱１０を折り曲げて組み立てた後に背面板１２と側面板１４および、背面板１２と側面板１５の境目部分のみ、例えば粘着テープで仮止めした後、下面板１３を床面に載置して立て置いた状態で正面板１１と背面板１２とを開き、商品を商品収納部に収納してから正面板１１と背面板１２とが開かないようにステップル等で固定することが可能である。この結果、自立型包装箱１０を組み立てながら商品を収納する必要がなく、半完成の（即ち正面板１１と背面板１２とが開くようになっている）自立型包装箱１０を予め作成しておき、商品の収納のみを集中的に行うことができるので、梱包作業を非常に効率よく行うことができる。【００３５】  さらにまた、この発明の自立型包装箱１０は、側面視において略二等辺三角形と当該二等辺三角形の頂点から二等辺の二辺が延長された形状であるので、配送時の梱包にも有利である。すなわち、配送時の梱包では、複数の自立型包装箱１０を、商品収納部を互い違いにダンボール等の配送用梱包具に梱包することが可能である。このため、この発明の自立型包装箱１０は、図１のように特殊形状でありながら、従来の包装箱と同等量を梱包用ダンボールへ梱包することが可能である。【００３６】  またさらに、この発明の自立型包装箱１０は、廃棄の際には図８の展開図のように広げることが可能であるので、ブリスターバッグのようにかさばることがない。
【図面の簡単な説明】
【００３７】
【図１】  この発明の自立型包装箱の斜視図である。
【図２】  この発明の自立型包装箱の正面図である。
【図３】  この発明の自立型包装箱の上面図である。
【図４】  この発明の自立型包装箱の下面図である。
【図５】  この発明の自立型包装箱の背面図である。
【図６】  この発明の自立型包装箱の左側面図である。
【図７】  この発明の自立型包装箱の右側面図である。
【図８】  この発明の自立型包装箱の展開図である。
【符号の説明】
【００３８】１０    自立型包装箱
１１    正面板
１２    背面板
１３    底面板
１４    左側面板
１５    右側面板
１６    展示用窓
１７    掛け置き用孔
１８    差し込み片
１９    折り込み片
２０    折り込み片
【図１】
2006219189.tif 000003
【図２】
2006219189.tif 000004
【図３】
2006219189.tif 000005
【図４】
2006219189.tif 000006
【図５】
2006219189.tif 000007
【図６】
2006219189.tif 000008
【図７】
2006219189.tif 000009
【図８】
2006219189.tif 000010